【手続補正書】
【提出日】平成20年5月21日(2008.5.21)
【手続補正１】
【補正対象書類名】特許請求の範囲
【補正対象項目名】全文
【補正方法】変更
【補正の内容】
【特許請求の範囲】
【請求項１】
内側ステンントおよび外側ステントを有する脈管のための管状インサートであって、内側ステントの少なくとも一部は外側ステントの内部に配置され、
外側ステントは長さ方向に延びる軸線を有するとともに、
１）導電性を有し、かつ
２）前記長さ方向に延びる軸線が中を通過するように、同軸線を中心として配置された
閉ループを有することなく構成され、
内側ステントは長さ方向に延びる軸線を有するとともに、
１）導電性を有し、かつ
２）前記長さ方向に延びる軸線が中を通過するように、同軸線を中心として配置された
閉ループを有することなく構成され、
内側ステントと外側ステントとの間に非導電性連結部を有する管状インサート。
【請求項２】
内側ステントと外側ステントとの間に複数の非導電性連結部を有する請求項１に記載の管状インサート。
【請求項３】
内側ステントはらせん状のステントであり、外側ステントはらせん状のステントである請求項２に記載の管状インサート。
【請求項４】
内側ステントはらせん状のステントであり、外側ステントはらせん状のステントである請求項１に記載の管状インサート。
【請求項５】
非導電性連結部はプラスチックからなる請求項１に記載の管状インサート。
【請求項６】
非導電性連結部は接着剤からなる請求項１に記載の管状インサート。
【請求項７】
非導電性連結部はセラミックからなる請求項１に記載の管状インサート。
【請求項８】
非導電性連結部はプラスチックからなる請求項３に記載の管状インサート。
【請求項９】
非導電性連結部は接着剤からなる請求項３に記載の管状インサート。
【請求項１０】
非導電性連結部はセラミックからなる請求項３に記載の管状インサート。
【請求項１１】
外側ステントおよび内側ステントのうちの一方は、ステントの長さ方向に延びる軸線を中心にしてステントの一端から他端の方に向かって時計回りに延び、
外側ステントおよび内側ステントのうちの他方は、ステントの長さ方向に延びる軸線を中心にして反時計回りに延びる請求項３に記載の管状インサート。
【請求項１２】
外側ステントおよび内側ステントのうちの少なくとも１つは、磁気共鳴適合材料からなる請求項１に記載の管状インサート。
【請求項１３】
外側ステントおよび内側ステントは磁気共鳴適合材料からなる請求項１に記載の管状インサート。
【請求項１４】
外側ステントおよび内側ステントは磁気共鳴適合材料からなる請求項４に記載の管状インサート。
【請求項１５】
外側ステントは、外側ステントの長さ方向に延びる軸線に対して斜状または直角をなして延びる複数の相互に連結したループを備え、同ループは外側ステントの長さ方向に延びる軸線を中心に部分的に延び、
内側ステントは、内側ステントの長さ方向に延びる軸線に対して斜状または直角をなして延びる複数の相互に連結したループを備え、同ループは内側ステントの長さ方向に延びる軸線を中心に部分的に延びる請求項１に記載の管状インサート。
【請求項１６】
複数のセルを有し、各セルは外側ステント、内側ステントの一部、および外側ステントと内側ステントとの間の少なくとも２つの連結部により形成される請求項２に記載の管状インサート。
【請求項１７】
内側ステントおよび外側ステントは非導電性材料を周囲に配置された導電性材料からなる請求項２に記載の管状インサート。
【請求項１８】
壁面は外側ステントおよび内側ステントにより形成され、同壁面中には導電性の閉ループは存在しない請求項１に記載の管状インサート。
【請求項１９】
壁面は外側ステントおよび内側ステントにより形成され、同壁面中には導電性の閉ループは存在しない請求項２に記載の管状インサート。
【請求項２０】
外側ステントおよび内側ステントの一部は金属よりなる請求項１に記載の管状インサート。
【請求項２１】
管状の医療装置を撮像する方法であって、管状の医療装置は外側ステントおよび内側ステントの形状をなし、内側ステントの少なくとも一部は外側ステントの内部に配置され、
外側ステントは長さ方向に延びる軸線を有するとともに、
１）導電性を有し、
２）前記長さ方向に延びる軸線が中を通過するように、同軸線を中心として配置された
閉ループを有することなく構成され、
内側ステントは長さ方向に延びる軸線を有するとともに、
１）導電性を有し、かつ
２）前記長さ方向に延びる軸線が中を通過するように、同軸線を中心として配置された
閉ループを有することなく構成され、
内側ステントは長さ方向に延びる軸線を有するとともに、
内側ステントと外側ステントとの間には非導電性連結部を有しする管状の医療装置を撮像する方法において、
磁気共鳴画像装置内に管状の医療装置を配置する配置工程と、
磁気共鳴画像装置を用い、管状の医療装置の磁気共鳴画像を撮像する撮像工程と、
管状の医療装置を磁気共鳴画像装置から除去する除去工程とからなる方法。
【請求項２２】
内側ステントはらせん状のステントであり、外側ステントはらせん状のステントである請求項２１に記載の方法。
【請求項２３】
内側ステントはらせん状のステントであり、外側ステントはらせん状のステントである請求項２１に記載の方法。
【請求項２４】
内側ステントおよび外側ステントのうちの一方は、ステントの長さ方向に延びる軸線を中心にして時計回りに延び、
他方はステントの長さ方向に延びる軸線を中心にして反時計回りに延びる請求項２２に記載の方法。
【請求項２５】
内側ステントおよび外側ステントのうちの一方は、ステントの長さ方向に延びる軸線を中心にして時計回りに延び、
他方はステントの長さ方向に延びる軸線を中心にして反時計回りに延びる請求項２３に記載の方法。
【請求項２６】
外側ステントと内側ステントとの間の連結部は、セラミック材料、プラスチック材料、および接着剤のうちの１つの材料からなる請求項２１に記載の方法。
【請求項２７】
外側ステントは、外側ステントの長さ方向に延びる軸線に対して、斜状または直角をなして延びる複数の相互に連結したループを備え、同ループは外側ステントの長さ方向に延びる軸線を中心に部分的に延び、
内側ステントは、内側ステントの長さ方向に延びる軸線に対して、斜状または直角をなして延びる複数の相互に連結したループを備え、同ループは内側ステントの長さ方向に延びる軸線を中心に部分的に延びる請求項２１に記載の方法。
【請求項２８】
複数のセルを有し、各セルは外側ステント、内側ステントの一部、および外側ステントと内側ステントとの間の少なくとも２つの連結部により形成される請求項２１に記載の方法。
【請求項２９】
内側ステントおよび外側ステントは非導電性材料を周囲に配置された導電性材料からなる請求項２１に記載の方法。
【請求項３０】
壁面は外側ステントおよび内側ステントにより形成され、管状の医療装置の同壁面中には導電性の閉ループは存在しない請求項２１に記載の方法。
【請求項３１】
管状の医療装置を製造する方法であって、
ａ）長さ方向に延びる軸線を有するとともに、導電性を有し、かつ前記長さ方向に延びる軸線が中を通過するように、同軸線を中心として配置された閉ループを有することなく構成された第１のステントを準備する第１の準備工程と、
ｂ）長さ方向に延びる軸線を有するとともに導電性を有し、かつ前記長さ方向に延びる軸線が中を通過するように、同軸線を中心として配置された閉ループを有することなく構成され、さらには第１のステントとの間に非導電性の連結部を有る第２のステントを準備
する第２の準備工程と、
ｃ）第２のステントの少なくとも一部を第１のステント内に配置する配置工程と、
ｄ）非導電性をなす連結部を介して第１のステントと第２のステントとを相互に連結する連結工程とからなる方法。
【請求項３２】
第１のステントはらせん状のステントであり、第２のステントはらせん状のステントである請求項３３の方法。
【請求項３３】
第１のステントは、第１のステントの長さ方向に沿って延びるリブと、第１のステントから延びる複数の第１のアームとを備え、第１のアームは第１のステントの周線を中心に部分的に延びており、
第２のステントは、第２のステントの長さ方向に沿って延びるリブと、第２のステントから延びる複数の第２のアームとを備え、第２のアームは第２のステントの周線を中心に部分的に延びている請求項３１の方法。
【請求項３４】
第１のステントは第１のステントの長さ方向に延びる軸線に対して斜状または直角をなして延びる複数の相互に連結したループを備え、ループは第１のステントの長さ方向に延びる軸線を中心に部分的に延びており、
第２のステントは第２のステントの長さ方向に延びる軸線に対して斜状または直角をなして延びる複数の相互に連結したループを備え、ループは第２のステントの長さ方向に延びる軸線を中心に部分的に延びている請求項３１の方法。
【請求項３５】
管状の医療装置は複数のセルを有し、各セルは第１のステント、第２のステントの一部、および第１のステントと第２のステントとの間の少なくとも２つの連結部により形成される請求項３１に記載の方法。
【請求項３６】
第１のステントおよび第２のステントは非導電性材料を周囲に配置された導電性材料からなる請求項３１に記載の方法。
【請求項３７】
壁面は第１のステントおよび第２のステントにより形成され、管状の医療装置の同壁面中には導電性の閉ループは存在しない請求項３１に記載の方法。
【請求項３８】
脈管中に植え込むための拡径可能部材であって、ステントの長さ方向に延びる軸線に沿って延びる中央線から異なる距離に配置された相互に連結された複数のストラットにより形成された多層をなす管状壁面と、ストラットは複数の相互に連結されたセルを形成することと、セルは導電性部分および非導電性部分を有することと、管状部材はステントの周線を中心に閉じたパスを形成する通路を有することと、閉じたパスは少なくとも１つの非導電性部分および１つの導電性部分を有することとを備える部材。
【請求項３９】
第１のステントおよび第２のステントを備える拡径可能な部材であって、
第１のステントは、第１のステント基端から第１のステントの先端に向けて巻回し、その後再び基端に巻回しつつ戻る部材よりなり、
第２のステントは、第２のステントの先端から第２のステントの基端に向けて巻回し、その後再び先端に巻回しつつ戻る部材よりなり、
第１のステントおよび第２のステントのうちの一方は、第１のステントおよび第２のステントのうちの他方内に配置されている拡径可能な部材。
【請求項４０】
第１のステントおよび第２のステントを備える拡径可能な部材であって、第２のステントは第１のステントの鏡像であり、第１のステントは第２のステントを中心に配置される部材。
【請求項４１】
第１のステントと第２のステントとはらせん状のステントである請求項４０に記載の医療装置。
【請求項４２】
第１のステントと第２のステントとはらせん状をなさないステントである請求項４０に記載の医療装置。
【請求項４３】
第１のステントと第２のステントとは異なる座標系を有し、一方は右手系であり、他方は左手系である請求項４２に記載の医療装置。
【請求項４４】
第１のステントの直径は第２のステントの直径より大きい請求項４０に記載の医療装置。
【請求項４５】
第１のステントと第２のステントとは複数箇所において互いに連結する請求項４０に記載の医療装置。
【請求項４６】
連結は、医療装置において導電性のループを有しないように分布される請求項４５に記載の医療装置。
【請求項４７】
第１のステントパターンを有する第１のステントおよび第２のステントパターンを有する第２のステントを備える医療装置であって、第２のステントパターンは第１のステントパターンの鏡像であり、第１のステントは、医療装置の長さ方向に延びる軸線を中心にして第１の方向に巻回され、第２のステントは、医療装置の長さ方向に延びる軸線を中心にして反対方向に巻回され、第２のステントは第１のステント内に配置される医療装置。
【請求項４８】
第１のステントと第２のステントとはらせん状のステントである請求項４６に記載の医療装置。
【請求項４９】
第１のステントと第２のステントとはらせん状をなさないステントである請求項４７に記載の医療装置。
【請求項５０】
第１のステントと第２のステントとは異なる座標系を有し、一方は右手系であり、他方は左手系である請求項４９に記載の医療装置。
【請求項５１】
第１のステントの直径は第２のステントの直径より大きい請求項４７に記載の医療装置。
【請求項５２】
連結は、医療装置において導電性のループを有しないように分布される請求項４７に記載の医療装置。
【請求項５３】
第１のらせん状のステントと第２のらせん状のステントとを備える医療装置であって、第１のらせん状のステントと第２のらせん状のステントとは異なるパターンを有し、第１のステントは第２のステントを中心に配置される医療装置。